(57)【要約】      （修正有）【課題】剥離機構を備えた印刷装置であって、内部開放時に十分な開口を確保でき、ユーザー利便性の高い印刷装置、を提供する。【解決手段】印刷がなされたラベル用紙をラベルと台紙に分離させる剥離機構５を備え、ラベル用紙に印刷を行う印刷装置が、前記剥離機構が取り付けられた開閉扉６を備える本体２と、前記本体を嵩上げする着脱可能な設置台３と、を有する。【選択図】図１
2018008490.tif 000002
【特許請求の範囲】
【請求項１】
剥離機構を備え、印刷媒体に印刷を行う印刷装置であって、
前記剥離機構が取り付けられた開閉扉を備える本体と、
前記本体を嵩上げする着脱可能な設置台と、を有する
ことを特徴とする印刷装置。
【請求項２】
請求項１において、
前記印刷媒体は、ラベルを台紙に貼り付けたラベル用紙であって、ロール状に巻かれている
ことを特徴とする印刷装置。
【請求項３】
請求項１あるいは２において、
前記開閉扉は、当該印刷装置の前面側に移動して当該印刷装置の内部を開放する
ことを特徴とする印刷装置。
【請求項４】
請求項１乃至３のいずれか１項において、
前記剥離機構は、前記台紙から前記ラベルを剥離する剥離板を備える
ことを特徴とする印刷装置。
【発明の詳細な説明】
【技術分野】
【０００１】
本発明は、剥離機構を備えた印刷装置に関し、特に、内部開放時に十分な開口を確保でき、ユーザー利便性の高い印刷装置に関する。
【背景技術】
【０００２】
従来、ロール状に巻かれた印刷媒体に対して印刷を行うプリンターが普及している。かかるプリンターでは、プリンター内に収容されたロール紙を交換する際のユーザー利便性を考慮して、設置状態のプリンター前面が手前に移動して内部が開放されるタイプのものがある（例えば、下記特許文献１、２を参照）。
【０００３】
一方、印刷媒体がラベル用紙の場合には、プリンターに剥離機構（ピーラー）が必要となる。かかる剥離機構は、通常、剥離板、剥離後の台紙を吐き出す搬送ローラー等で構成される。
【先行技術文献】
【特許文献】
【０００４】
【特許文献１】特開２００１−１５８１４１号公報
【特許文献２】特開２００１−１５８１４２号公報
【発明の概要】
【発明が解決しようとする課題】
【０００５】
上述のようなプリンター前面が手前に移動して内部が開放されるタイプのプリンターにおいて、すなわち、プリンター前面に開閉扉が設けられるプリンターにおいて、剥離機構を備えることを考えると、剥離機構は印刷後の印刷媒体の排出口付近に配する必要があるため、排紙口がプリンター前面に設けられている場合、その剥離機構もプリンター前面に配する必要があり、上記開閉扉と一体となって移動しなければならない。
【０００６】
しかしながら、そのような構成では、開閉扉のサイズが大きくなり（長くなり）、開放時にもロール紙交換のための十分な開口とスペースを確保できない虞がある。
【０００７】
そこで、本発明の目的は、剥離機構を備えた印刷装置であって、内部開放時に十分な開口を確保でき、ユーザー利便性の高い印刷装置、を提供することである。
【課題を解決するための手段】
【０００８】
上記の目的を達成するために、本発明の一つの側面は、剥離機構を備え、印刷媒体に印刷を行う印刷装置が、前記剥離機構が取り付けられた開閉扉を備える本体と、前記本体を嵩上げする着脱可能な設置台と、を有する、ことである。
【０００９】
当該側面により、本体が嵩上げされるので、剥離機構が取り付けられて寸法の大きい開閉扉を下方まで十分に開くことができ、これにより、印刷装置の内部にアクセスする空間及び開口を十分に確保することができる。したがって、印刷媒体の交換の際などにおいてユーザー利便性の良い印刷装置を提供できる。
【００１０】
また、設置台は、本体から取り外せるので、印刷装置の設置環境に柔軟に対応することができる。
【００１１】
更に、上記発明において、好ましい態様は、前記印刷媒体は、ラベルを台紙に貼り付けたラベル用紙であって、ロール状に巻かれている、ことを特徴とする。
【００１２】
当該態様により、上記側面の効果がより有効となる。
【００１３】
更にまた、上記発明において、好ましい態様は、前記開閉扉は、当該印刷装置の前面側に移動して当該印刷装置の内部を開放する、ことを特徴とする。
【００１４】
当該態様により、ユーザー利便性の高い印刷装置を提供できる。
【００１５】
更に、上記発明において、好ましい態様は、前記剥離機構は、前記台紙から前記ラベルを剥離する剥離板を備える、ことを特徴とする。
【００１６】
本発明の更なる目的及び、特徴は、以下に説明する発明の実施の形態から明らかになる。
【図面の簡単な説明】
【００１７】
【図１】本発明を適用した印刷装置の実施の形態例に係る斜視図である。
【図２】本発明を適用した印刷装置の側面図である。
【図３】プリンター１の側面断面図である。
【図４】開閉扉６が開放された状態におけるプリンター１の側面断面図である。
【図５】開閉扉６が開放された状態におけるプリンター１の斜視図である。
【図６】設置台３をプリンター１の前面側から見た斜視図である。
【図７】設置台３をプリンター１の後面側から見た斜視図である。
【図８】設置台３の上面図である。
【図９】設置台３を用いないでプリンター１を設置した状態を例示した図である。
【図１０】プリンター１を工場等における生産ラインに組み込んで利用する場合の一例を示した図である。
【発明を実施するための形態】
【００１８】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００１９】
図１は、本発明を適用した印刷装置の実施の形態例に係る斜視図である。また、図２は、本発明を適用した印刷装置の側面図である。図１及び図２に示すプリンター１が本発明を適用した印刷装置であり、本プリンター１は、剥離機構部５が取り付けられた開閉扉６を備える本体２と、プリンター１の設置時に本体２を嵩上げする着脱可能な設置台３を備える。これにより、プリンター１の本体２が嵩上げされ、剥離機構部５が取り付けられ（プリンター１の設置時における）上下方向に寸法の長い開閉扉６を、同じ姿勢のまま（プリンター１の設置時における）下方向に十分に移動させられるので、開閉扉６の開放時に、ロール紙１０交換のための十分な開口とスペースを確保することができる。
【００２０】
本実施の形態例に係るプリンター１は、ロール紙及びファンフォールド紙を印刷媒体とするインクジェット方式のラベルプリンターである。
【００２１】
図１及び図２は、使用される際の設置状態でのプリンター１を示しており、図１及び図２において、剥離機構部５が設けられる側がプリンター１の前面、すなわち、ユーザーが操作する側である。プリンター１は、筐体４で囲われた本体２と、本体２と接地面（図２におけるＧ）との間に配される設置台３を備える。
【００２２】
本体２の前面には剥離機構部５を備える開閉扉６が構成される。後述するが、この開閉扉６には、閉じた状態では筐体４の内部に収まる下側印刷機構１６が取り付けられている。また、図２に示されるように、開閉扉６の開放時には、剥離機構部５は矢印Ａの方向に移動する。そして、その際には、図２に示されるように、剥離機構部５の下端は本体２の底面（図２におけるＢ）よりも下側に下がる。
【００２３】
また、図１に示されるように、本体２の前面には、電源ボタン７、ディスプレイ８、及び、操作ボタン９が設けられる。
【００２４】
設置台３は、本体２とは着脱可能であり、プリンター１を設置する際に本体２を嵩上げする台である。詳しくは後述するが、図１に示される通り、設置台３の概ね中央部には、プリンター１の前面から後面に貫通する貫通部（凹部）３０が設けられ、この貫通部３０が剥離機構部５から排出される台紙の用紙経路３１となる。また、設置台３の内部には、貫通部３０を挟んで両側（プリンター１の前面から見て左側と右側）に収納部３２があり、各収納部３２には、開口３３が設けられている。
【００２５】
次に、プリンター１の主要な機構について記録媒体の流れに沿って説明する。
【００２６】
図３は、プリンター１の側面断面図である。図３では、印刷媒体としてロール紙１０を用いる場合を示している。ロール紙１０は、連続紙である台紙の上にラベルが所定の間隔で貼られたラベル用紙１１がロール状に巻かれたものである。図３では、ロール紙１０がロール紙収容部２０に収められた状態を示している。
【００２７】
ロール収容部２０から引き出されたラベル用紙１１は、搬送経路１２に沿って搬送され、搬送ローラー１３によって印刷位置へ供給される。搬送ローラー１３は、上側搬送ローラー１３Ａ及び下側搬送ローラー１３Ｂを備え、図示していないモーターで駆動される。
【００２８】
印刷位置には、印刷ヘッド１４とプラテン１５が備えられ、その間に供給されたラベル用紙１１に対して、印刷ヘッド１４による印刷が実行される。印刷ヘッド１４には、インクを吐出する複数のインクノズルが備えられる。
【００２９】
印刷がなされたラベル用紙１１は排紙口１７Ａへ搬送され、剥離機構部５の剥離板５１によってラベルと台紙に分離される。その後、ラベルの部分は図３の矢印Ｃ１の方向へ排出され、台紙の部分は、剥離機構部５の排紙ローラー５２によって排紙口１７Ｂへ搬送され、図３の矢印Ｃ２の方向へ排出される。
【００３０】
なお、印刷媒体としてファンフォールド紙を用いる場合には、プリンター１の外部（プリンター１の後面側、図３におけるプリンター１の右側）から用紙を供給し、用紙は搬送ローラー１３へつながる経路を通って印刷位置に供給される。
【００３１】
次に、本プリンター１の特徴部分について説明する。
【００３２】
まず、プリンター１は、前面側に開く開閉扉６を備える構造において剥離機構部５を備える。剥離機構部５は、上述した剥離板５１、排紙ローラー５２、排紙口１７Ｂなどを備え、一体となって、開閉扉６の一部を形成している。従って、開閉扉６の開放時には、プリンター１の前面側に移動する。
【００３３】
図４は、開閉扉６が開放された状態におけるプリンター１の側面断面図である。また、図５は、開閉扉６が開放された状態におけるプリンター１の斜視図である。図４及び図５に基づいて、開閉扉６について説明する。
【００３４】
図４、図５に示すように、開閉扉６は、剥離機構部５と下側印刷機構１６等で構成される。下側印刷機構１６は、下側搬送ローラー１３Ｂ、プラテン１５等がフレーム材に設けられて構成される。図３に示す開閉扉６を閉じた状態と比較して分かるように、剥離機構部５と下側印刷機構１６は、開閉扉６が開かれた状態でも概ね開閉扉６が閉じられた状態と同姿勢を保つように移動されて図４及び図５に示す状態となる。当該移動（図２における矢印Ａ）は、図示していない平行リンク機構によって実現される。
【００３５】
この開閉扉６が開いた状態では、設置台３により本体２が嵩上げされているので、図４に示すように、開閉扉６（剥離機構部５）の下端レベルＰＬが、本体底部のレベルＢＬよりも下方に来ることができ、図５に示すように、十分な広さの開口６１ができる。従って、図４の矢印Ｄで示す方向に十分なスペースが確保される。これにより、ロール紙収容部２０に対するユーザーによるロール紙１０の出し入れが容易となる。
【００３６】
なお、図４に示すプリンター１は、平らな設置面に使用状態で設置されている。また、開閉扉６が閉じた状態で、開閉扉６（剥離機構部５）の下端レベルＰＬは、当該設置面のレベルＧＬよりも上方にあり、開閉扉６が設置面にぶつかることはない。また、開閉扉６の開閉は、本実施の形態例ではユーザーの操作によって行われるが、動力による開閉を行ってもよい。
【００３７】
次に、設置台３は、上述の通り、プリンター１の本体２を嵩上げする台であり、本体２に対して着脱可能である。図６は、設置台３をプリンター１の前面側から見た斜視図である。図７は、設置台３をプリンター１の後ろ面側から見た斜視図である。図８は、設置台３の上面図である。なお、図６−８は、プリンター１を使用状態で設置した場合に設置台３が配される向きで示されている。
【００３８】
図６及び図７に示されるように、設置台３は、合成樹脂などの板状部材で構成される、前面部３６、後面部３７、側面部３５、及び、底面部から形成され、設置台３には、下側中央部に矩形断面の貫通部３０が設けられている。貫通部３０は、プリンター１の前面側から後面側へ同断面で貫通している。従って、前面部３６及び後面部３７にはその断面形状の開口部がある。当該貫通部３０は、印刷後の台紙の排紙経路（用紙経路３１）とすることができ、その場合には、排紙口１７Ｂから排出された台紙をプリンター１の前面側から後面側へ通して、プリンター１の後面側で排出された台紙を回収することができる。これにより、プリンター１の前面側に台紙が溜まってしまいユーザーが接する側が煩雑になるのを防ぐことができる。
【００３９】
また、このように、設置台３を本体２の外部に設けられた用紙経路３１として利用することにより、本体２を大きくすることなく上述の効果が得られ、嵩上げのための設置台３を有効活用できる。
【００４０】
また、図６に示されるように、貫通部３０の前面上側には、前面から後面に向かう面で切った断面がＲ形状の（表面が曲面の）上端部３４が設けられる。これにより、貫通部３０を用紙経路３１とした場合に、用紙（台紙）が傷つかずに滑らかに貫通部３０を通過する。なお、上端部３４を回転可能なローラーとしてもよい。
【００４１】
また、設置台３には、その内部に２室の収納部３２が備えられる。図６−８に示されるように、収納部３２は、貫通部３０の両側の空間に設けられ、本実施の形態例では、プリンター１のＡＣアダプター４１とケーブル４２を収容する。図７及び図８に示されるように、後面部３７には、ＡＣアダプター４１とケーブル４２のための開口３７Ａ及び３７Ｂが設けられている。当該収納部３２により、プリンター１周辺に存在する電源ケーブル等の煩雑さを解消することができる。
【００４２】
また、図６−８に示されるように、収納部３２には、すなわち、左右の側面部３５には、それぞれ、開口３３が設けられている。これらの開口３３により、ＡＣアダプター４１等収納部３２に収納したものから発せられる熱をプリンター１の左右側の外部に放出することができる。すなわち、放熱効果を得られる。さらに、プリンター１を設置した状態から本体２を移動する際などに、これらの開口３３を、ユーザーの手を差し入れるスペースとして利用することができる。
【００４３】
図９は、設置台３を用いないでプリンター１を設置した状態を例示した図である。図９に示す例は、プリンター１の本体２をテーブルなど（Ｄ）の端に設置した場合である。このような場合には、図９に示すように、開閉扉６の開放時に開閉扉６が本体２の底面（Ｂ）より下がっても設置面にぶつかることがなく、設置台３による本体２の嵩上げが必要ない。このように、設置台３が着脱可能であることにより、プリンター１の設置環境に応じて、適宜、設置台３の使用・不使用を選択できる。よって、ユーザー利便性の良いプリンター１を提供できる。
【００４４】
また、プリンター１を工場等における生産ラインに組み込んで利用することもできる。図１０は、その場合の一例を示した図である。図１０において、プリンター１には、生産ラインの他の装置である用紙供給マシン１００から印刷媒体（ラベル用紙１１）が供給される。プリンター１は、供給されたラベル用紙１１に対して印刷を実行し、印刷が施されたラベルは、図１０の左方向へ排出され、図示していない生産ラインの次の装置へ渡される。
【００４５】
一方、台紙は、上述の通り、プリンター１の前面から下方に排出され、設置台３の貫通部３０を通り、プリンター１の後面に抜ける。その後、台紙は生産ラインの他の装置である台紙巻取マシン２００に巻き取られる。
【００４６】
このように、設置台３を排紙経路として利用することにより、生産ラインにプリンター１をコンパクトに組み込むことができる。また、プリンター１を生産ラインに組み込む場合などには、制御用のポートなどを設置台３の収納部３２に収めることもできる。
【００４７】
以上説明したように、本実施の形態例に係るプリンター１では、本体２を嵩上げする設置台３を備えるので、プリンター１の前面側に開く開閉扉６に剥離機構部５が設けられていても、開閉扉６を下方まで十分に開くことができ、これにより、プリンター１の内部にアクセスする空間及び開口を十分に確保することができる。したがって、ロール紙１０の交換の際などにおいてユーザー利便性の良い印刷装置を提供できる。
【００４８】
また、設置台３は、本体２から取り外せるので、プリンター１の設置環境に柔軟に対応することができる。
【００４９】
また、本プリンター１は、ロール状巻かれたラベル用紙をプリンター１内に収容する場合に効果的である。
【００５０】
また、本プリンター１は、開閉扉６がユーザー側（前面側）に開くのでユーザー利便性が良い。
【００５１】
本発明の保護範囲は、上記の実施の形態に限定されず、特許請求の範囲に記載された発明とその均等物に及ぶものである。
【符号の説明】
【００５２】
１…プリンター、２…本体、３…設置台、４…筐体、５…剥離機構部、６…開閉扉、７…電源ボタン、８…ディスプレイ、９…操作ボタン、１０…ロール紙、１１…ラベル用紙、１２…搬送経路、１３…搬送ローラー、１３Ａ…上側搬送ローラー、１３Ｂ…下側搬送ローラー、１４…印刷ヘッド、１５…プラテン、１６…下側印刷機構、１７Ａ…排紙口、１７Ｂ…排紙口、２０…ロール紙収容部、３０…貫通部（凹部）、３１…用紙経路、３２…収納部、３３…開口、３４…上端部、３５…側面部、３６…前面部、３７…後面部、３７Ａ…開口、３７Ｂ…開口、４１…ＡＣアダプター、４２…ケーブル、５１…剥離板、５２…排紙ローラー、６１…開口、１００…用紙供給マシン、２００…台紙巻取マシン。
【図１】
2018008490.tif 000003
【図２】
2018008490.tif 000004
【図３】
2018008490.tif 000005
【図４】
2018008490.tif 000006
【図５】
2018008490.tif 000007
【図６】
2018008490.tif 000008
【図７】
2018008490.tif 000009
【図８】
2018008490.tif 000010
【図９】
2018008490.tif 000011
【図１０】
2018008490.tif 000012